(57)【要約】【課題】  本発明は年に応じた開運、吉祥縁起等の開運絵が描かれた掛軸絵あるいは絵画と、その年の九星盤および開運絵の説明によって、その年の星回りと開運絵の説明によってその年の開運、で縁起の掛軸あるいは絵画であることを購買者に十分に説得、理解してもらうことができる開運掛軸あるいは絵画の広告を得るにある。【解決手段】  新聞、雑誌、リーフレット等の紙と、この紙にプリントされた年に応じた開運、吉祥縁起等の開運絵が描かれた掛軸絵あるいは絵画と、この掛軸絵あるいは絵画がプリントされた部位を除く部位の紙にプリントされた年の九星盤と、掛軸絵あるいは絵画および九星盤がプリントされた部位を除く部位の紙にプリントされた該掛軸絵あるいは絵画の開運絵の説明とで開運掛軸あるいは絵画の広告を構成している。【選択図】  図１
2005266194.tif 000002
【特許請求の範囲】
【請求項１】
新聞、雑誌、リーフレット等の紙と、この紙にプリントされた年に応じた開運、吉祥縁起等の開運絵が描かれた掛軸絵あるいは絵画と、この掛軸絵あるいは絵画がプリントされた部位を除く部位の、前記紙にプリントされた前記年の九星盤と、前記掛軸絵あるいは絵画および前記九星盤がプリントされた部位を除く部位の前記紙にプリントされた該掛軸絵あるいは絵画の開運絵の説明とからなることを特徴とする開運掛軸あるいは絵画の広告。
【請求項２】
新聞、雑誌、リーフレット等の紙と、この紙にプリントされた構図全体は富士山に九星盤の数を表した年に応じた開運、吉祥縁起等の開運絵が描かれた掛軸絵あるいは絵画と、この掛軸絵あるいは絵画がプリントされた部位を除く部位の前記紙にプリントされた、前記年の九星盤と、前記掛軸絵あるいは絵画および前記九星盤がプリントされた部位を除く部位の前記紙にプリントされた該掛軸絵あるいは絵画の開運絵の説明とからなることを特徴とする開運掛軸あるいは絵画の広告。
【請求項３】
新聞、雑誌、リーフレット等の紙と、この紙にプリントされた構図全体は風水四神相応に則った年に応じた開運、吉祥縁起等の風水開運絵が描かれた掛軸絵あるいは絵画と、この掛軸絵あるいは絵画がプリントされた部位を除く部位の前記紙にプリントされた、前記年の九星盤と、前記掛軸絵あるいは絵画および前記九星盤がプリントされた部位を除く部位の前記紙にプリントされた該掛軸絵あるいは絵画の風水開運絵の説明とからなることを特徴とする開運掛軸あるいは絵画の広告。
【発明の詳細な説明】
【技術分野】
【０００１】
本発明は開運掛軸あるいは絵画を販売するための開運掛軸あるいは絵画の広告に関する。
【背景技術】
【０００２】
従来、各年毎に販売される開運掛軸は、新聞紙等に開運絵と、開運絵の説明および作者の説明等を記載している。
【０００３】
このため、単なる開運の説明であるため、説得力に欠け、購買者に十分に理解してもらえないという欠点があった。
【特許文献１】特になし。
【発明の開示】
【発明が解決しようとする課題】
【０００４】
本発明は以上のような従来の欠点に鑑み、年に応じた開運、吉祥縁起等の開運絵が描かれた掛軸絵あるいは絵画と、その年の九星盤および開運絵あるいは絵画の説明によって、その年の星回りと開運絵あるいは絵画の説明によってその年の開運、で縁起の掛軸あるいは絵画であることを購買者に十分に説得、理解してもらうことができる開運掛軸あるいは絵画の広告を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は新聞、雑誌、リーフレット等の紙と、この紙にプリントされた年に応じた開運、吉祥縁起等の開運絵が描かれた掛軸絵あるいは絵画と、この掛軸絵あるいは絵画がプリントされた部位を除く部位の、前記紙にプリントされた前記年の九星盤と、前記掛軸絵あるいは絵画および前記九星盤がプリントされた部位を除く部位の前記紙にプリントされた該掛軸絵あるいは絵画の開運絵の説明とで開運掛軸あるいは絵画の広告を構成している。
【発明の効果】
【０００７】
以上の説明から明らかなように、本発明にあっては次に列挙する効果が得られる。
【０００８】
（１）上記課題を解決するための手段の構成によって、年の星回りおよび開運、吉祥縁起の開運絵であることを購買者に知らせることができる。
したがって、購買希望者に安心感を与えることができる。
【０００９】
（２）前記（１）によって、開運絵の説明によって、開運絵の意味を知ることができ、海運掛軸あるいは絵画を眺めるだけで福運招来するような安心感が得られる。
【００１０】
（３）前記（１）によって、開運掛軸あるいは絵画の内容が十分に理解でき、安心して室内に飾ることができる。
【００１１】
（４）請求項２も前記（１）〜（３）と同様な効果が得られるとともに、風水を考慮した。開運絵であることを知らせることができる。
【発明を実施するための最良の形態】
【００１２】
以下、図面に示す本発明を実施するための最良の形態により、本発明を詳細に説明する。
【００１３】
図１ないし図５に示す本発明を実施するための最良の第１の形態において、1は開運掛軸を販売するため開運掛軸の広告で、この開運掛軸の広告1は新聞、雑誌、リーフレット等の紙2と、この紙2にプリントされた、年に応じた開運、吉祥縁起等の開運絵3が描かれた掛軸絵４と、この掛軸絵4がプリントされた部位を除く部位の、前記紙2にプリントされた前記年の九星盤５と、前記掛軸絵4および前記九星盤5がプリントされた部位を除く部位の前記紙2にプリントされた、該掛軸絵4の開運絵の説明6と、前記紙２の空白部分に連絡先７、販売会社の住所、名称８、作者名、金額9および飾った状態の絵１０等がプリントされている。
【００１４】
前記開運絵3は、例えば平成16年では構図には風水と五行説に基づく数々の吉祥縁起が散りばめられ、構図全体は風水四神相応に則って描かれてあり、五行説に基づく五帝を吉祥植物に置き換え、五黄土星の開運色である金色の雲に包まれ、山水を黄金に輝かせた、富士が描かれた風水黄金富峰図である。
【００１５】
前記九星盤５は、例えば平成１６年では図２に示すように五黄土星が中宮に入る盤であり、平成１５年では図３に示すように六白金星が中宮に入る盤であるので、六白金星がテーマとなり、６羽の鶴と白い富士の構図にしている。
【００１６】
前記開運絵の説明６は図４に示すように、前記開運絵３の東、西、南、北、中央に描かれた絵１１、１１Ａ、１１Ｂ、１１Ｃ、１１Ｄと、その絵１１、１１Ａ、１１Ｂ、１１Ｃ、１１Ｄの意味１２、１２Ａ、１２Ｂ、１２Ｃ、１２Ｄが記載されている。
【００１７】
上記構成の開運掛軸の広告１は、開運掛軸に描かれた開運絵３の絵１１、１１Ａ、１１Ｂ、１１Ｃ、１１Ｄの意味１２、１２Ａ、１２Ｂ、１２Ｃ、１２Ｄや九星盤５によって、その年の運勢の吉凶を知ることができるので、購買者に安心感を与えることができ、納得して購入してもらうことができる。
[発明を実施するための異なる形態]
【００１８】
次に、図６ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図６ないし図９に示す本発明を実施するための第２の形態において、前記本発明を実施するための最良の第１の形態と主に異なる点は、例えば平成１５年に応じた絵１１Ｅ、１１Ｆ、１１Ｇ、１１Ｈが描かれた開運絵３Ａと九星盤５Ａを用いるとともに、開運絵の説明６Ａに開運絵３Ａの絵１１Ｅ、１１Ｆ、１１Ｇ、１１Ｈの説明１２Ｅ、１２Ｆ、１２Ｇ、１２Ｈが記載され、飾った状態の絵を用いなかった点で、このように構成した海運掛け軸の広告１Ａにしても、前記本発明を実施するための最良の第１の形態と同様な作用効果が得られる。
【００２０】
図１０および図１１に示す本発明を実施するための第３の形態において、前記本発明を実施するための最良の第１の形態と主に異なる点は、紙２の表面に掛軸絵４と九星盤５をプリントするとともに、紙２の背面に開運絵の説明６Ｂおよび飾った状態の絵１０をプリントした点で、このように構成された開運掛軸の広告1Ｂにしても、前記本発明を実施するための最良の第１の形態と同様な作用効果が得られる。
【００２１】
図１２および図１３に示す本発明を実施するための第４の形態において、前記本発明を実施するための最良の第１の形態と主に異なる点は、紙２の表面に開運絵３が描かれ額に入れられた絵画１３と九星盤５をプリントし、飾った状態の絵を用いなかった点で、このように構成された開運絵画の広告1Ｃにしても、前記本発明を実施するための最良の第１の形態と同様な作用効果が得られる。
【００２２】
図１４および図１５に示す本発明を実施するための第５の形態において、前記本発明を実施するための第２の形態と主に異なる点は、紙２の表面に開運絵３Ａが描かれ額に入れられた絵画１３Ａと九星盤５Ａをプリントした点で、このように構成された開運絵画の広告1Ｄにしても、前記本発明を実施するための第２の形態と同様な作用効果が得られる。
【産業上の利用可能性】
【００２３】
本発明は開運掛軸あるいは絵画を製造および販売する産業で利用される。
【図面の簡単な説明】
【００２４】
【図１】本発明を実施するための最良の第１の形態の平面図。
【図２】本発明を実施するための最良の第１の形態の九星盤の説明図。
【図３】本発明を実施するための最良の第１の形態の異なる九星盤の説明図。
【図４】本発明を実施するための最良の第１の形態の開運絵の説明図。
【図５】本発明を実施するための最良の第１の形態の開運絵の説明の説明図。
【図６】本発明を実施するための第２の形態の平面図。
【図７】本発明を実施するための第２の形態の九星盤の説明図。
【図８】本発明を実施するための第２の形態の開運絵の説明図。
【図９】本発明を実施するための第２の形態の開運絵の説明の説明図。
【図１０】本発明を実施するための第３の形態の平面図。
【図１１】本発明を実施するための第３の形態の背面図。
【図１２】本発明を実施するための第４の形態の平面図。
【図１３】本発明を実施するための第４の形態の開運絵の説明図。
【図１４】本発明を実施するための第５の形態の平面図。
【図１５】本発明を実施するための第５の形態の開運絵の説明図。
【符号の説明】
【００２５】
１、１Ａ、１Ｂ：開運掛軸の広告、    １Ｃ、１Ｄ：開運絵画の広告、
２：紙、                            ３、３Ａ：開運絵、  
４：掛軸絵、                        ５、５Ａ：九星盤、
６：開運絵の説明、                  ７：連絡先、
８：販売会社の住所、名称、          ９：作者名、金額、
１０：飾った状態の絵、
１１、１１Ａ、１１Ｂ、１１Ｃ、１１Ｄ：絵、
１２、１２Ａ、１２Ｂ、１２Ｃ、１２Ｄ：絵の意味。
【図１】
2005266194.tif 000003
【図２】
2005266194.tif 000004
【図３】
2005266194.tif 000005
【図４】
2005266194.tif 000006
【図５】
2005266194.tif 000007
【図６】
2005266194.tif 000008
【図７】
2005266194.tif 000009
【図８】
2005266194.tif 000010
【図９】
2005266194.tif 000011
【図１０】
2005266194.tif 000012
【図１１】
2005266194.tif 000013
【図１２】
2005266194.tif 000014
【図１３】
2005266194.tif 000015
【図１４】
2005266194.tif 000016
【図１５】
2005266194.tif 000017